(57)【要約】【課題】パターンレスのタッチパネルにおいて、1点タッチに加え２点タッチのタッチ位置検出を高精度に行う。【解決手段】位置検出装置６は、矩形状の検知層３１の各辺の中間位置に対をなす同辺ペア電極が設けられたベース部としてのタッチパネル２と、位置検出部６とを備えている。位置検出部６は、各辺の同辺ペア電極の中から選択された第１ペア電極に計測信号を与え、第１ペア電極からの出力信号の差分情報に基づいて、検知層３１に接近した物体の位置を演算する。【選択図】図１
2019159446.tif 000002
【特許請求の範囲】
【請求項１】
信号入力ノードと、直交及び／または対向する辺を有しかつ少なくとも２辺の中間位置にそれぞれ少なくとも２つずつの電極が設けられた導電層とを備えるベース部と、
前記ベース部の信号入力ノードに計測信号を与える信号源と、
前記電極のうち前記導電層の同一辺から選択された対をなす電極からなる同辺ペア電極、前記導電層の対角辺のそれぞれから１つずつ選択された電極からなる対角ペア電極、または、対向辺のそれぞれから１つずつ選択された電極からなる対向ペア電極、の中から選択された測定電極に出力された信号の差分情報に基づいて、前記導電層に接近した物体の位置を演算する位置検出部を備えている
ことを特徴とする位置検出装置。
【請求項２】
前記ベース部は、絶縁性を有するシート状の基体と、前記基体の裏面側における中央部分を含む検知領域に一様に形成されかつ周縁部に前記信号入力ノードが設けられた導電性の信号入力層と、前記基体の表面側における前記検知領域に一様に形成された前記導電層と備えている
ことを特徴とする請求項１記載の位置検出装置。
【請求項３】
前記信号入力ノードは、前記導電層の電極に接続されている
ことを特徴とする請求項１記載の位置検出装置。
【請求項４】
前記位置検出部は、前記同辺ペア電極、前記対角ペア電極または前記対向ペア電極のうち少なくとも２種類のペア電極を前記測定電極とする
ことを特徴とする請求項１記載の位置検出装置。
【請求項５】
前記導電層の少なくとも１辺には、３個以上の電極からなる電極群が設けられ、
前記測定電極として同辺ペア電極を選択する場合に、前記電極群の両外端の電極を選択する
ことを特徴とする請求項１記載の位置検出装置。
【発明の詳細な説明】
【技術分野】
【０００１】
本発明は、接近した物体の位置を検出する位置検出装置に関する。
【背景技術】
【０００２】
特許文献１には、従来の静電容量方式のタッチパネルの一例が開示されている。特許文献１記載のタッチパネルは、絶縁基板上に並設される複数の第１電極と、第１の電極と交差して並設される複数の第２電極と、両電極間に介在される絶縁膜とを備え、平面的に観た場合、第１の電極のパッド部と第２の電極のパッド部は重畳することなく配置されている（特許文献１の図２参照）。
【先行技術文献】
【特許文献】
【０００３】
【特許文献１】特開２０１０−１４６７８５号公報
【特許文献２】特開２００８−１３４５２２号公報
【特許文献３】特開２０１３−２５０６４２号公報
【発明の概要】
【発明が解決しようとする課題】
【０００４】
このようなパターニングされた２層構造の電極パッドを使用した静電容量方式のタッチパネル（以下、２層構造タッチパネルともいう）では、比較的高いタッチ検出精度を実現できる一方で、構造が複雑であり、コストが高くなるというデメリットがある。
【０００５】
これに対し、特許文献２及び特許文献３には、透明導電膜の４隅に電極を設け、同相かつ同電位の位置検出用の交流電圧を供給するパターンレスのタッチパネルが開示されている。具体的には、特許文献２では、導電膜の４隅の電極に対応して４個の波形検出回路を設け、その検出回路の出力電圧に基づいて座標位置を演算している。また、特許文献３では、矩形状の導電膜の４隅の電極に同相、同電圧のパルス信号を与え、対数信号比を用いてユーザーのタッチ位置を検出している。
【０００６】
このような単一導電膜を使用するパターンレスタッチパネルは構造が単純であり、低価格で実現できるメリットがある一方で、一般的に２層構造タッチパネルと比較して解像度が低い。特に、特許文献２のような従来技術では、タッチパネル上の互いに異なる２点をタッチする、いわゆる２点タッチの検出が困難であるという問題がある。
【０００７】
上記の点に鑑み、本発明は、パターンレスのタッチパネルにおいて、１点タッチに加え２点タッチのタッチ位置検出を高精度に行うことを目的とする。
【課題を解決するための手段】
【０００８】
本発明の一態様に係る位置検出装置は、信号入力ノードと、直交及び／または対向する辺を有する導電層とを備え、該導電層の少なくとも２辺の中間位置にそれぞれ少なくとも２つずつの電極が設けられたベース部と、前記ベース部の信号入力ノードに計測信号を与える信号源と、前記信号入力ノードから前記導電層を介して伝搬され、前記電極のうち前記導電層の同一辺から選択された対をなす電極からなる同辺ペア電極、前記導電層の対角辺のそれぞれから１つずつ選択された電極からなる対角ペア電極、または、対向辺のそれぞれから１つずつ選択された電極からなる対向ペア電極の中から選択された測定電極から出力された、前記計測信号の差分情報に基づいて、前記導電層に接近した物体の位置を演算する位置検出部を備えていることを特徴とする。
【０００９】
ここで、「導電層を備えるベース部」には、例えば絶縁体で形成されたベースとなる部材、例えば透過性のある絶縁基板や電子機器等の樹脂製の筐体等に導電膜が形成されているものを含む。また、ベース部が２層の導電層を備えるものを含む。すなわち、前記ベース部は、絶縁性を有するシート状の基体と、前記基体の裏面側における中央部分を含む検知領域に一様に形成されかつ周縁部に前記信号入力ノードが設けられた導電性の信号入力層と、前記基体の表面側における前記検知領域に一様に形成された前記導電層と備えている、としてもよい。
【００１０】
一方で、導電層は、１層であってもよい。すなわち、導電層には、絶縁体で形成されたベースとなる部材に１層の導電層が形成されているものが含まれ、ベース部としての基板の一部又は全部が導電層で構成されているものが含まれる。さらに、ベース部が導電層１層のみで構成されている場合も含まれる。この場合の導電層には、導電性を有するもので層が形成されているもの全般が含まれ、導電膜に加えて、例えば、導電性フィルム、導電性シート及び導電性プレートも含まれる。そして、前記信号入力ノードが、前記導電層の電極に接続されているとしてもよい。
【００１１】
本態様によると、同辺ペア電極、対角ペア電極、対向ペア電極の中から選択された測定電極から出力された信号の差分情報に基づいて、タッチ位置の検出を行っている。これにより、測定電極とタッチ位置との相対位置が異なる距離になるように電極を選択することができる。したがって、位置検出装置で得られる測定電極からの出力信号の信号差を大きくすることができ、十分なタッチ検出感度を得ることができる。ここで、「タッチ」とは、表示画面への直接的なタッチ（表示画面への接触）と、表示画面への間接的なタッチ（いわゆるホバリング）との両方を含む概念である。
【００１２】
前記位置検出部は、前記同辺ペア電極、前記対角ペア電極または前記対向ペア電極のうち少なくとも２種類のペア電極を前記測定電極とする、としてもよい。
【００１３】
これにより、測定電極とタッチ物体位置の相対位置が異なる距離による信号差で十分な感度が得られる。したがって、２点タッチがされた場合においても、差分情報として十分大きな値を得ることができ、１点タッチに加え２点タッチの検出を高精度に行うことができる。
【発明の効果】
【００１４】
本発明に係る位置検出方法によれば、パターンレスのタッチパネルにおいて、タッチ位置の検出を高精度に行うことができる。
【図面の簡単な説明】
【００１５】
【図１】第１実施形態に係る位置検出装置の構成例を示すブロック図である。
【図２】第１実施形態に係るタッチパネルの構成を示す平面図である。
【図３】第１実施形態に係るタッチパネルの構成を示す断面図である。
【図４】第１実施形態に係るタッチパネルの位置検出原理を説明するための図である。
【図５】図４または図９で点ＴＰがタッチされた場合の信号波形例を示した図である。
【図６】第２実施形態に係る位置検出装置の構成例を示すブロック図である。
【図７】第２実施形態に係るタッチパネルの構成例を示す断面図である。
【図８】第２実施形態に係るタッチパネルの構成例を示す平面図である。
【図９】第２実施形態に係るタッチパネルの位置検出原理を説明するための図である。
【図１０】第２実施形態に係るタッチ位置の検出方法の一例を示すフロー図である。
【図１１】ノータッチ補正データの取得動作の一例を示すフロー図である。
【図１２】タッチ位置の検出演算の一例を示すフロー図である。
【図１３】ディープラーニングの重みづけデータの一例を示す図である。
【図１４】ディープラーニングの演算結果の一例を示す図である。
【図１５】第２実施形態に係るタッチパネルの構成例を示す平面図である。
【図１６】第２実施形態に係るタッチパネルの構成例を示す平面図である。
【図１７】第２実施形態に係るタッチパネルの構成例を示す平面図である。
【図１８】２点タッチのタッチ位置とピーク電圧との関係を示す図である。
【図１９】２点タッチのタッチ位置とピーク電圧との関係を示す図である。
【図２０】タッチパネルの他の構成例を示す平面図である。
【図２１】タッチパネルの他の構成例を示す平面図である。
【発明を実施するための形態】
【００１６】
以下、本発明の実施形態について、図面を参照しながら説明する。なお、以下の好ましい実施形態の説明は、本質的に例示に過ぎず、本発明、その適用範囲あるいはその用途を制限することを意図するものではない。
【００１７】
＜第１実施形態＞
図１は本実施形態にかかる位置検出装置１の構成例を示すブロック図である。図２はタッチパネル２の構成を示す平面図であり、図３は同断面図である。
【００１８】
図１に示すように、位置検出装置１は、パターンレスタッチパネル２（以下、単にタッチパネル２という）と、位置検出部６とを備えている。位置検出部６は、タッチパネル２に計測信号としてのパルス信号を与えるための信号源３と、位置情報取得部６０と、演算部５とを備える。
【００１９】
タッチパネル２は、シート状（フィルム状または薄板状）の基体２１を有する導電シート２０を含む構成になっている。
【００２０】
−導電シート−
図２、図３に示すように、基体２１の表面には、その中央部分を含む矩形状の検知領域Ｒｄにおいて、基体２１に近い方から順に、導電層としての検知層３１、絶縁層３２及び接地層３３がそれぞれ一様に形成され、積層されている。同様に、基体２１の裏面には、検知領域Ｒｄにおいて、信号入力層４１が一様に形成されている。検知領域Ｒｄとは、導電シート２０をパターンレスタッチパネルの部材として用いたときに、タッチ位置を検知する領域に相当する。なお、本実施形態では、説明の便宜上、基体２１の表面が操作者と対向しているものとする。また、「前」とは操作者側を指し、「後」はその反対側を指すものとする。ただし、本開示の導電シート２０は、基体２１の表面側からのタッチ操作に限定されるのもではない。すなわち、導電シート２０の裏面側からのタッチ操作にも対応可能であり、同様の構成で、同様の効果が得られる。
【００２１】
基体２１は、導電シート２０をパターンレスタッチパネルの部材として用いたときに、他部材と検知層３１との接触による短絡を防ぐ観点から、絶縁性材料を用いることが好ましい。本実施形態に係る基体２１は、所定の厚さを有する基板２１ａと、基板２１ａの表面に粘着フィルム（例えば、ＯＣＡ（Optical Clear Adhesive）フィルム）で貼り付けられた絶縁性フィルム２１ｂからなる。
【００２２】
基体２１の材料としては、絶縁性を有する物質であればよく、特に限定されないが、例えば、アルミナやガラスクロス含浸エポキシ樹脂などの硬質板「いわゆるＦＲ４(Flame Retardant Type 4)基板」、樹脂製のフィルム、ゴム材料（柔軟性を有する方が望ましい）からなる群から選択される１種又は２種以上の材料を用いることができる。中でも、検知層３１と信号入力層４１との間の容量を減らす観点から、誘電率の低いＦＲ４基板が望ましい。樹脂製フィルムは、具体的には例えば、ポリエチレンテレフタレート（ＰＥＴ）、ポリエチレンナフタレート（ＰＥＮ）、シクロオレフィンポリマー（ＣＯＰ）、ポリカーボネート（ＰＣ）、ポリイミド（ＰＩ）、ポリ塩化ビニル（ＰＶＣ）、トリアセテート、トリアセチルセルロース（ＴＡＣ）等が挙げられ、特に、耐熱性及びコストの面からＰＥＴフィルムがより望ましい。
【００２３】
基体２１の厚さは、信号入力層４１と検知層３１との間における良好な信号伝搬性能を得る観点、例えば信号入力層４１と検知層３１との間に形成されるタッチ容量値やタッチ位置から位置検出部６に至るインピーダンス等、に基づいて決定される。基体２１の厚さが十分確保されていないと、位置検出部６（図８参照）において、信号入力層４１と検知層３１との間の容量がタッチ容量に対して相対的に大きい場合に、十分な出力信号が得られない場合がある。具体的に、基体の厚みが０．８ｍｍ以上かつ６．８ｍｍ以下であるのが好ましい。
【００２４】
基体２１の表面には、矩形状の検知領域Ｒｄに検知層３１が一様に形成され、検知領域Ｒｄの周りを包囲する配線領域Ｒｗに複数の出力配線５３が形成されている。検知領域Ｒｄは、導電シート２０をパターンレスタッチパネルの部材として用いたときに、タッチ位置を検知する領域に相当する。換言すると、本発明の導電シート２０は、パターンレスタッチパネルに実装されることにより、位置検出部６（図８参照）によってタッチ操作の有無が検出できるように構成されている。なお、検知層３１は、電極Ｅや出力配線５３と信号入力層４１や接地層３３との間に容量が生じるのを避ける観点から、検知領域Ｒｄよりも若干広い検知層形成領域Ｒ１に一様に形成されていることが望ましい。この場合においても、検知領域Ｒｄにおいて、検知層３１は一様に形成されているといえる。
【００２５】
検知層３１の各辺上（周縁部に相当）には、各辺のコーナーから所定の間隔をあけた辺長手方向の中間位置に、等しいピッチで複数の電極Ｅ（信号出力ノードＮｏに相当）が形成されている。電極Ｅの数と後述する配線領域の出力配線５３の数とが等しくなっている。図２では、検知層３１の各辺にそれぞれ３個ずつ電極Ｅが設けられている例を示している。なお、本実施形態において、「等しい」とは、実質的に等しければよく、多少の位置ずれがあっても同様の効果が得られる。したがって、「等しい」とは、等しいこと（完全に一致すること）に加えて、概ね等しいことを含む概念である。
【００２６】
なお、本実施形態において、タッチ操作とは、タッチパネルに直接タッチする操作と、ホバリング操作とを含む概念である。また、上記「タッチ操作」を行うことを「タッチする」というものとする。また、「タッチ操作」が行われた場合における指示体（例えば、操作者の指）の位置と対応する検知層３１上の位置を「タッチ位置」というものとする。
【００２７】
検知層３１には、カーボン、銀、銅、アルミニウム、酸化インジウムスズ（ＩＴＯ）、フッ素ドープ酸化スズ（ＦＴＯ）、金属ドープ酸化亜鉛、金属ナノワイヤ、アンチモンドープ酸化スズ（ＡＴＯ）、ポリチオフェン（ＰＥＤＯＴ）、ポリアニリン、及び水溶性スルホン化ポリアニリンからなる群から選択される１種または２種以上の導電材料が含有されている。カーボンは、導電性が発現すれば特に限定されないが、例えば、カーボンブラック、グラフェン、カーボンナノチューブを用いることができる。
【００２８】
基体表面の配線領域Ｒｗには、検知層３１の周縁に沿って延びる複数の出力配線５３が形成されている。出力配線５３は、検知層３１の信号出力ノードＮｏとしての電極Ｅから出力された電流の取得のために用いられる。換言すると、それぞれの出力配線５３は、互いに離間するように設けられている電極Ｅを介して検知層３１に接続されており、この電極Ｅが信号出力ノードとして作用する。また、各出力配線５３は、検知層３１の周縁に沿って引き回され、１箇所（図２では右下の隅角部近傍）に集約され、互いに異なる電極Ｅにそれぞれ接続されている。このように、出力配線５３の端部（電極）を集約させることにより、位置検出部６に接続しやすくなる。
【００２９】
検知層３１や出力配線５３の表面側には、絶縁層３２を介して導電性の接地層３３が積層により一様に形成されている。接地層３３の図面上辺（周縁部に相当）における図面左右方向の左寄りの中間位置には、信号入力ノードＮｉが設けられている。信号入力ノードＮｉには、出力配線５３よりも幅広の第２入力配線５２が接続されている。第２入力配線５２は、
基体２１の裏面には、信号入力層４１が形成されている。信号入力層４１は、検知領域Ｒｄと略同じ広さの信号入力層形成領域Ｒ３に一様に形成されている。接地層３３と信号入力層４１とは、導電シート２０内の平面視における互いの位置が略同じになるように配置されている。
【００３０】
信号入力層４１の図面上辺（周縁部に相当）における図面左右方向の左寄りの中間位置に、信号入力ノードＮｉが設けられている。信号入力ノードＮｉには、出力配線５３よりも幅広の第１入力配線５１が接続されている。第１入力配線５１と第２入力配線５２とは、導電シート２０内の平面視における互いの位置が略同じになるように配置されている。
【００３１】
具体的に、図３に示すように、第１入力配線５１及び第２入力配線５２は、入力ノードＮｉから図面上方向に延びた後、導電シート２０の周縁に沿って図面右方向及び図面下方向に向かってＬ字状に、図面右辺の上下方向の中間位置まで延びている。
【００３２】
第１入力配線５１及び第２入力配線５２の先端部には、後述する位置検出部６のパルスジェネレータ７１が接続される。そして、第１入力配線５１及び第２入力配線５２を介してパルスジェネレータ７１からの計測信号が信号入力ノードＮｉに供給される。
【００３３】
ここで、図２に示すように、第１入力配線５１及び第２入力配線５２と出力配線５３とが、平面視において重ならないように形成している。これにより、第１入力配線５１と出力配線５３との間及び第２入力配線５２と出力配線５３との間に、配線間容量が発生するのを避けることができる。
【００３４】
なお、図３に示すように、接地層の表面及び信号入力層４１の裏面を絶縁カバー層で覆うようにしてもよい。一方で、例えば、導電シート２０の前後に空間を設けたり、絶縁性の部品を配置したりする場合や、導電シート２０の周りを筐体等で覆ったりした場合には、絶縁カバー層を設けなくてもよい。
【００３５】
図１に戻り、信号源７は、パルスジェネレータ７１（図１ではＰＧと表記する）を有する。パルスジェネレータ７１は、周期的に変動する矩形状のパルス信号（電圧：Ｖｃｃ）を発生する。パルスジェネレータ７１の出力は、信号入力層４１及び接地層３３の信号入力ノードＮｉに与えられる。
【００３６】
位置情報取得部６０は、同一構成の２つのアナログスイッチ６１，６１（図１ではＡＳと表記する）と、差動アンプ６２と、ノイズフィルタ６３と、ピークホールド部６４と、アナログデジタル変換回路６５（図１ではＡＤＣと表記する）とを備えている。
【００３７】
アナログスイッチ６１，６１は、検知層３１に設けられた電極Ｅの中から任意に選択された測定対象となるペア電極（以下、測定電極Ｅ１，Ｅ２という）からの出力信号を通過させる。
【００３８】
差動アンプ６２は、アナログスイッチ６１，６１を介して測定電極の出力信号を受け、両信号の信号量差を示す差動信号を出力する。ノイズフィルタ６３は、差動アンプ６２から出力された差動信号のノイズ成分を除去する。ピークホールド部６４は、ノイズが除去された差動信号のピーク電圧をアナログ信号として保持する。アナログデジタル変換回路６５は、前記ピーク電圧（アナログ信号）に基づいて、ピーク電圧値及びピーク電圧の符号情報をデジタル値に変換する。
【００３９】
測定電極の組み合わせとしては、同辺ペア電極、対辺ペア電極及び対角ペア電極が含まれる。同辺ペア電極とは、導電層のいずれか１辺に設けられた電極の中から選択されたペア電極であり、例えば、図１３の「同辺取得」の欄に記載された電極の組み合わせが含まれる。対辺ペア電極とは、対向する辺から各１つずつ選択されたペア電極であり、例えば、図１３の「対辺取得」の欄に記載された電極の組み合わせが含まれる。対角ペア電極とは、直交する辺から各１つずつ選択されたペア電極であり、例えば、図１３の「対角取得」の欄に記載された電極の組み合わせが含まれる。
【００４０】
演算部５は、位置検出装置１の各ブロックの動作を制御する。
【００４１】
例えば、演算部５は、タイミング制御された入力信号バルスの送信及びペア電極の中から測定電極を選択し、選択した測定電極を示す電極選択信号ＳＣ１を信号源３及び位置情報取得部６０のアナログスイッチ６１，６１に送信する。さらに、演算部５は、アナログデジタル変換回路６５から出力された差動信号（デジタル値）に含まれる差分情報に基づいて、タッチパネル２に接近又は接触した物体（例えば、ユーザーの指）の位置を演算により求める。ここで、差分情報とは、差動信号に基づいて得られる情報全般を指すものとする。例えば、差分情報には、差動信号が正の電圧信号か負の電圧信号かを示す符号情報、差動信号の大きさを示す電圧差情報、差動信号が所定の電圧に到達するまでの時間情報等が含まれる。
【００４２】
−タッチパネルの位置検出原理−
以下において、第１実施形態に係るパターンレスタッチパネルのタッチ操作に係るタッチ位置の検出原理について、具体的に説明する。図４は、導電シート２０を用いたパターンレスタッチパネルにおいて、導電シート２０に、位置検知部６のパルスジェネレータ７１及び差動アンプ６２を接続した状態を示す模式図である。図４において、Ｚは、信号入力層４１と検知層３１との間のインピーダンス及び検知層３１と接地層３３との間のインピーダンスを示している。このインピーダンスＺは、所定の値（例えば、５０Ω程度）にマッチングされている。なお、図４では、アナログスイッチ６１，６１の図示を省略している。
【００４３】
図４において、パルスジェネレータ７１は、入力抵抗Ｒｉａを介して信号入力層４１の信号入力ノードＮｉに接続されている。また、信号入力層４１の信号入力ノードＮｉと接地層３３の信号入力ノードＮｉとの間に入力抵抗Ｒｉｂが接続され、接地層３３の信号入力ノードＮｉは接地されている。
【００４４】
そして、パルスジェネレータＰＧから信号入力ノードＮｉに計測信号が与えられると、計測信号が基体２１を介して検知層３１に伝搬され、検知層３１の電極Ｅから出力信号として出力される。差動アンプ６２には、アナログスイッチ６１，６１を介して、演算部５からの制御信号に基づいて選択された測定電極Ｅ１，Ｅ２からの出力信号が与えられる。
【００４５】
その後、後段に接続された演算部５により、タッチ位置の演算が行われる。
【００４６】
具体的に、タッチ位置ＴＰがタッチされた状態において、信号入力ノードＮｉにパルス信号が供給されると、タッチ位置がチャージアップされ、測定電極Ｅ１，Ｅ２には、それぞれ下式（１）に応じた電圧が出力される。
【００４７】
Ｖ＝Ｖｄｄ（１−ｅｘｐ（−ｔ／ＲＣ））  ‥（１）
【００４８】
Ｃ＝ＣＴ＋ＣＳ  ‥（２）
【００４９】
ここで、式（２）は式（１）のＣの値を示している。式（２）において、ＣＴはタッチした指と検知層３１との間の容量であり、ＣＳはタッチ位置ＴＰにおける導電シート２０の内部の容量である。なお、ＣＳは、Ｃｔ／Ｃｓの値が、１〜１００程度になるように設定されるのが望ましい。
【００５０】
また、式（１）のＲには、測定電極Ｅ１，Ｅ２のそれぞれとタッチ位置との間の抵抗値であるＲ１，Ｒ２と、それぞれの測定電極Ｅ１，Ｅ２から位置検知装置６までの配線抵抗ＲＬ及び信号入力層４１と検知層３１との間のインピーダンスＺの抵抗成分ＲＺが含まれる。ただし、配線抵抗ＲＬ及び抵抗成分ＲＺはほとんど影響がない程度に小さくできるため、以下の計算では、配線抵抗ＲＬ及び抵抗成分ＲＺは「０（ゼロ）」であるものとする。
【００５１】
そうすると、測定電極Ｅ１，Ｅ２のうちの一方の電極Ｅ１とタッチ位置ＴＰとの間の抵抗をＲ１とすると、電極Ｅ１には、それぞれ下式（３）で示す電圧が出力される。
【００５２】
Ｖ１＝Ｖｄｄ（１−ｅｘｐ（−ｔ／Ｒ１Ｃ））  ‥（３）
【００５３】
同様に、測定電極Ｅ１，Ｅ２のうちの他方の電極Ｅ２とタッチ位置ＴＰとの間の抵抗をＲ２とすると、電極Ｅ２には、それぞれ下式（４）で示す電圧が出力される。
【００５４】
Ｖ２＝Ｖｄｄ（１−ｅｘｐ（−ｔ／Ｒ２Ｃ））  ‥（４）
【００５５】
したがって、差動アンプ６２からは、下式（５）に示す差動信号（式（３），（４）の差分の信号）が出力される。
【００５６】
Ｖｄｆ＝Ｖ１−Ｖ２
＝Ｖｄｄ（−ｅｘｐ（−ｔ／Ｒ１Ｃ）＋ｅｘｐ（−ｔ／Ｒ２Ｃ））‥（５）
【００５７】
図５はユーザーによりタッチ位置ＴＰがタッチされた場合における測定電極Ｅ１，Ｅ２の出力信号及び差動アンプ６２から出力される差動信号の一例を示した図である。図５において、縦軸は電圧値であり、横軸は時間である。また、図５（ａ）は後述する式（１），（２）で求められるＶ１，Ｖ２の信号波形を示しており、図５（ｂ）は式（３）で求められるＶｄｆの信号波形を示している。
【００５８】
そして、位置検出部６の演算部５では、タッチ位置に応じて式（５）で示される差動信号の符号や大きさ等（以下、差動信号情報という）が異なるため、その差動信号情報に基づいてタッチ位置を演算することができる。
【００５９】
なお、タッチ操作の種別（タッチパネル上に直接指示体が触れる操作とホバリング操作）によって、位置検出部６で検出される電圧の振幅が異なるが、タッチ操作の種別によらず基本的な検出原理は同じである。同様に、タッチ位置が１点（いわゆる１点タッチ）の場合、タッチ位置が２点（いわゆる２点タッチ）の場合、及び、タッチ位置が３点以上（いわゆるマルチタッチ）の場合についても位置検出部６で検出される電圧の振幅が異なるが、基本的な検出原理は同じである。
【００６０】
以上のように、本実施形態によると、測定電極の組み合わせとして、同辺ペア電極、対辺ペア電極及び対角ペア電極が含まれるようにしているので、測定電極とタッチ位置との相対位置が異なる距離になるように電極を選択することができる。これにより、位置検出装置で得られる測定電極からの出力信号の信号差を大きくすることができ、十分なタッチ検出感度を得ることができる。
【００６１】
なお、上記実施形態の説明では、測定電極として、同辺ペア電極、対角ペア電極または対向ペア電極のいずれか１種類が選択された場合を例示して説明したが、これらのペア電極のうち少なくとも２種類のペア電極を測定電極とするのがより好ましい。そうすることで、測定電極とタッチ位置の相対位置が異なる距離になるようにすることができる。これにより、位置検出装置で得られる測定電極からの出力信号の信号差を大きくすることができ、十分なタッチ検出感度を得ることができる。
【００６２】
さらに、本願発明者らは、絶縁性を有する基体２１にタッチ位置を検知するための検知領域Ｒｄを設定し、検知領域Ｒｄの裏面側に計測信号を与えるための信号入力層４１を一様に形成し、検知領域Ｒｄの表面側に基体２１を介して伝搬された計測信号を出力するための信号出力ノードＮｏが形成された検知層３１を一様に形成した導電シート２０をパターンレスタッチパネルに用いることで、高精度なタッチ位置の検知が可能であることを見いだした。具体的には、信号入力層４１と検知層３１とを分離しているので、信号入力ノードＮｉと信号出力ノードＮｏとの間で信号の干渉が起こらないようにすることができる。
【００６３】
なお、本実施形態の説明では、検知領域Ｒｄが矩形状であり、検知層３１及び信号入力層４１が矩形状であるものとしたが、これに限定されない。例えば、図２０に示すように、検知領域Ｒｄ（検知層３１及び信号入力層４１）が楕円形状であってもよい、また、検知領域Ｒｄ（検知層３１及び信号入力層４１）の一部が曲線となっていたり、湾曲していてもよい。なお、検知領域Ｒｄの一部が曲線となっていたり、湾曲したりしていても、タッチ位置の検出原理は上記実施形態と同様であるので、ここではその詳細説明を省略する。
【００６４】
＜第２実施形態＞
図６は本実施形態にかかる位置検出装置１の構成例を示すブロック図である。図６において、図１と共通するブロックには、同じ符号を付している。そして、以下の説明では、第１実施形態と異なる点を中心に説明するものとし、第１実施形態と共通の構成については説明を省略する場合がある。
【００６５】
具体的に、第２実施形態では、タッチパネル２、演算部５及び信号源７の構成が第１実施形態と異なっている。なお、以下の説明では、説明の便宜上、電極Ｅのうち、検知層３１の左端で上下方向に延びる辺に沿って設けられた電極を第１電極と称する。また、第１電極から反時計回りの順番で各辺に設けられた電極をそれぞれ第２、第３及び第４電極と称する。さらに、第１電極／第３電極について、説明の理解を容易にするために、図面上から下に向かって順にＥ１１／Ｅ３１，Ｅ１２／Ｅ３２，Ｅ１３／Ｅ３３の符号を付して説明する場合がある。同様に、第２電極／第４電極について、図面右から左に向かって順にＥ２１／Ｅ４１，Ｅ２２／Ｅ４２，Ｅ２３／Ｅ４３の符号を付して説明する場合がある。
【００６６】
図６において、信号源７は、パルスジェネレータ７１（図６ではＰＧと表記する）と、アナログスイッチ７２（図６ではＡＳと表記する）とを有する。パルスジェネレータ７１は、周期的に変動する矩形状のパルス信号（電圧：Ｖｃｃ）を発生する。アナログスイッチ７２は、演算部５から受けた電極選択信号ＳＣ１に基づいて、パルスジェネレータ７１から受けたパルス信号を測定電極（測定対象となるペア電極）に出力する。
【００６７】
図７は本実施形態に係るタッチパネル２の構成を示す断面図であり、図８は同平面図である。本実施形態において、タッチパネル２は、電磁透過性（光とタッチ電界を含む）を有するリジット基板又はフレキシブルシート等からなり、平面視において矩形状の基体２１を備えている。本開示において、矩形とは、正方形及び長方形を含む概念である。基体２１の表面には、略全面にわたって電磁透過性の検知層３１が形成されており、その上に透明の絶縁保護層２３が形成されている。検知層３１は、例えばＩＴＯ（Indium Tin Oxide）膜であり、その抵抗値は、１ｋΩ／□から１０ＭΩ／□である。また、絶縁保護層２３は、例えばポリエステルシートであり、その厚さは、例えば１μｍから１００μｍである。
【００６８】
演算部５は、位置検出装置１の各ブロックの動作を制御する。例えば、演算部５は、タイミング制御された入力信号バルスの送信及びペア電極の中から測定電極を選択し、選択した測定電極を示す電極選択信号ＳＣ１を信号源３及び位置情報取得部６０のアナログスイッチ６１，６１に送信する。さらに、演算部５は、アナログデジタル変換回路６５から出力された差動信号（デジタル値）に含まれる差分情報に基づいて、絶縁保護層２３に接近又は接触した物体（例えば、ユーザーの指）の位置を演算により求める。ここで、差分情報とは、差動信号に基づいて得られる情報全般を指すものとする。例えば、差分情報には、差動信号が正の電圧信号か負の電圧信号かを示す符号情報、差動信号の大きさを示す電圧差情報、差動信号が所定の電圧に到達するまでの時間情報等が含まれる。さらに、演算部５は、各種制御を行うためのプログラムが格納されたＲＯＭ５１及び後述する補正テーブルＴＢ１や、ディープラーニングに必要なデータベース（ディープラーニングの学習データ、ディープラーニングの学習を行った後の重み付けデータ及びパーセプトロン手法に必要なデータ）が格納された格納部５２を備えている。なお、測定電極の定義は、第１実施形態と同じであり、検知層３１に設けられた電極Ｅの中から任意に選択された測定対象となるペア電極、すなわち、同辺ペア電極、対角ペア電極、または、対向ペア電極の中から任意に選択されたペア電極である。
【００６９】
−タッチ位置の検出原理−
図９は位置検出装置１において、タッチパネル２の第３及び第４電極Ｅ３３，Ｅ４３と周辺ブロックとの接続関係を詳細に示した図である。以下の位置検出原理の説明では、パルスジェネレータ３１からのパルス信号が測定電極としての第３及び第４電極Ｅ３３，Ｅ４３に与えられ、差動アンプ６２からは第３及び第４電極Ｅ３３，Ｅ４３の差動信号が出力されるものとする。すなわち、電極選択信号ＳＣ１が第３及び第４電極Ｅ３３，Ｅ４３を示している場合を例に説明する。なお、以下の説明に際して、理解を容易にするために、（１）検知層３１は、一様なシート抵抗を有するものとして説明する。（２）図９ではアナログスイッチ３２及びアナログスイッチ６１の図示を省略する。ただし、詳細は後述するが、検知層３１のシート抵抗が部分的に異なる場合においても、本発明は適用が可能である。
【００７０】
図９に示すように、パルスジェネレータ３１と第３及び第４電極Ｅ３３，Ｅ４３の入力端子ＩＮ３３，ＩＮ４３とは、それぞれ基準抵抗Ｒ０を介して入力信号配線ＮＩにより接続されている。第３及び第４電極Ｅ３３，Ｅ４３の出力端子ＯＵＴ３３，ＯＵＴ４３は、差動アンプ６２の入力端子にそれぞれ出力信号配線ＮＴにより接続されている。そして、差動アンプ６２の両入力端子間には、同一インピーダンスを有する２つの負荷Ｚ１，Ｚ１が直列接続されており、両負荷Ｚ１，Ｚ１の間の中間ノードがグランドに接続されている。
【００７１】
なお、図９では、激しいノイズ電磁環境に対応することを目的として、入力信号配線ＮＩが、配線ＮＩに沿って併走する第１グランド配線ＮＧ１とのペア配線となっている例を示している。このとき、第１グランド配線ＮＧ１の一端は、パルスジェネレータ３１のグランドと接続されている。同様に、出力信号配線ＮＴが、グランド配線（以下、第２グランド配線ＮＧ２と称する）とのペア配線となっている例を示している。第２グランド配線ＮＧ２の一端は、中間ノードと同様にグランドに接続されている。また、第１及び第２グランド配線ＮＧ１，ＮＧ２の他端（タッチパネル側の端部）は解放端となっている。ただし、通常のノイズ電磁環境下においては、第１グランド配線ＮＧ１及び第２グランド配線ＮＧ２はなくてもかまわない。
【００７２】
図５では、カッコ書きで示しているが、第１実施形態と同様に、図５（ａ）がタッチ位置ＴＰがタッチされた場合における第３及び第４電極Ｅ３３，Ｅ４３の出力信号を示しており、図５（ｂ）がそのとき差動アンプ６２から出力される差動信号の一例を示している。
【００７３】
ここで、図９において、タッチ位置ＴＰは、第４電極Ｅ４３よりも第３電極Ｅ３３の方に近いものとする。すなわち、第３電極Ｅ３３とタッチ位置ＴＰとの間の検知層３１の抵抗（以下、第３抵抗Ｒ３３と称し、抵抗値はＲ３３と記載する）と、第４電極とタッチ位置ＴＰとの間の検知層３１の抵抗（以下、第４抵抗Ｒ４３と称し、抵抗値はＲ４３と記載する）との間には、Ｒ３３＜Ｒ４３の関係が成立するものとする。
【００７４】
タッチ位置ＴＰがタッチされた状態において、第３電極Ｅ３３にパルス信号が入力されると、タッチした指と検知層３１との間の容量ＣＴと第３抵抗Ｒ３３との時定数に応じた電圧でタッチ位置ＴＰがチャージアップされる。このチャージアップ状態が第３電極Ｅ３３に反射され、差動アンプ６２の一方の入力端子に下記式（６）で示される反射信号が入力される。
【００７５】
Ｖ３３＝Ｖｄｄ（１−ｅｘｐ（−ｔ／Ｒ３３ＣＴ））  ‥（６）
【００７６】
ここで、容量ＣＴは、絶縁保護層の材質、厚さ等に応じて一義的に決まる値である。なお、図４に示すように、容量ＣＴとグランドとの間には、タッチするユーザー毎に異なる特定の値の負荷Ｚ２が生じる。発明の理解を容易にするため、本式ではその影響を省略している。以下の式でも同様とする。なお、本開示では、このユーザー毎に異なる負荷Ｚ２について、後述する補正マーカーを用いて補正することができるように構成されている。
【００７７】
同様に、タッチ位置ＴＰがタッチされた状態において、第４電極Ｅ４３にパルス信号が入力されると、容量ＣＴと第４抵抗Ｒ４３との時定数に応じて、差動アンプ６２の他方の入力端子に下記式（７）で示される反射信号が入力される。
【００７８】
Ｖ４３＝Ｖｄｄ（１−ｅｘｐ（−ｔ／Ｒ４３ＣＴ））  ‥（７）
【００７９】
したがって、差動アンプ６２からは、上記式下記式（８）に示す差動信号（式（６），（７）の差分の信号）が出力される。
【００８０】
Ｖｄｆ＝Ｖ３３−Ｖ４３
＝Ｖｄｄ（−ｅｘｐ（−ｔ／Ｒ３３ＣＴ）＋ｅｘｐ（−ｔ／Ｒ４３ＣＴ））‥（８）
【００８１】
ピークホールド部６４は、差動信号が正の場合、式（８）の最大電圧値をピーク電圧としてホールドし、差動信号が負の場合、式（８）の最小電圧値をピーク電圧としてホールドする。
【００８２】
演算部５では、ピーク電圧値及びピーク電圧の符号情報等に基づいてタッチ位置を演算により求めることができる。
【００８３】
−測定電極の選択−
次に、ペア電極の中から測定電極として選択する電極の組み合わせについて、具体的に説明する。
【００８４】
図１３（ａ）は、測定電極の組み合わせと、各検出領域Ｑ１，Ｑ２，…，Ｑ８０の標準ピーク電圧との対応付けをしたディープラーニングの学習データ（重みづけデータ）の一例を示している。以下の説明では、単に重みづけデータと呼ぶ場合がある。この図１３（ａ）に例示している重みづけデータは、任意の複数個人特長、ホバリングタッチや強く指タッチした情報を含む。このようなピーク強度に大きな差があっても式（８）の原理は同じであることから取得データは電極組み合わせ間の相対値は同じ傾向で異なることから、タッチ環境にかかわらず学習で重みづけの値や畳み込み演算値が自動補正される特徴を有している。
【００８５】
以下、図１５〜図１９を参照しつつ具体的に説明する。
【００８６】
まず、２点タッチにおいても、１点タッチと同様に、測定電極からタッチ位置までの差分情報に基づいてタッチ位置を検出することができる。具体的に、２点タッチのベースとなる差分情報は、以下の式（４）で求めることができる。
【００８７】
差分情報＝（ａ−ｂ）＋（ｃ−ｄ）  ‥（９）
【００８８】
ここで、ａ（第１距離）は「ペア電極を構成する電極の一方」と「２点タッチのタッチ位置うちの一方」との距離であり、ｂ（第２距離）は「同電極の他方」と「同タッチ位置の一方」との距離である。また、ｃ（第３距離）は「ペア電極を構成する電極の一方」と「２点タッチのタッチ位置うちの他方」との距離であり、ｄ（第４距離）は「同電極の他方」と「同タッチ位置の他方」との距離である。
【００８９】
図１５及び図１６は、タッチパネルの構成例を示す平面図に対して、２点タッチが行われた場合における、上記の第１〜第４距離ａ〜ｄの一例を記入したものである。図１５は測定電極として同辺ペア電極を選択した場合について例示しており、図１６は測定電極として対角ペア電極を選択した場合について例示している。図１７は、導電層の中心辺りの検出領域を2点タッチし、それを斜め方向に動かした様子を示している。
【００９０】
図１８は、図１３の三角印に示す2点タッチ及びタッチ位置のシフト動作をした場合におけるピークホールド部６４の出力電圧の変化を示している。同様に、図１９は、図１７の丸印に示す２点タッチ及びタッチ位置のシフト動作をした場合におけるピークホールド部６４の出力電圧の変化を示している。それぞれの図において、実施例１，２は同辺取得の例を示しており、比較例では対角取得の例を示している。同辺取得では、タッチ位置の変化に伴って、差分情報に線形的かつ大きな変化が得られている。一方で、対角取得では、タッチ位置が変化しても、差分情報に有意な変化がみられていない。
【００９１】
−タッチ位置の検出動作−
以下の説明では、ディープラーニング学習を用いた手法によりタッチ位置を検出する動作について具体的に説明する。図１０は、全体のフローを示しており、図１１、図１２はそれぞれ図６のステップＳ２，Ｓ６の詳細フローを示している。また、図１３は、ディープラーニング学習後のランダムタッチ取得データに基づいて生成された重みづけデータの一例を示しており、図１４は、ディープラーニングの演算結果の一例を示している。具体的に、例えば、１点の位置に対して、５人の異なる個人に対して各２００点×５＝１０００点のデータ学習を行った後のランダムタッチの検出結果に基づいて生成されたデータである。ディープラーニング手法は多層パーセプトロンである。
【００９２】
ディープラーニング手法では、ピークホールドの個人差やホバリングの距離の差なのは自動的に補正され、1点タッチの場所検出が可能であるが、前述したように電極組み合わせ間の相対比が変わらないことで位置検出できる。
【００９３】
２点タッチの場合は図１１，１２のように相対比が異なることから、これを学習して、検出を可能としている。１点タッチは現実的には式（８）したがってある特定の１対の電極組み合わせで、検出でき、検出精度を上げるために複数組み合わせを行っている。しかもそれらはすべて同じ検出位置を示している。２点タッチ、３点タッチではこの検出位置の異なる場所が現れる。この違いを学習しておけば、容易に区分が可能となる。これは式（８）に従う原理であり、表１の場合は多くの電極組み合わせのパーセプトロンとなっていて、１点と多点の区分的原理が多層パーセプトロンの重みづけの中で連結合成されて判定される。
【００９４】
図１３（ａ）に示すように、ディープラーニングの学習データには、測定電極の組み合わせと、各検出領域Ｑ１，Ｑ２，…，Ｑ８０の標準出力情報としての標準ピーク電圧とが対応付けされた状態でリスト化されている。なお、本開示では、測定電極の組み合わせを互いに異ならせて１００通りの組み合わせに対してパルス信号印加及び測定を行うものとする。具体的に、図１３及び図１４の表では、列毎に異なる測定電極の組み合わせを記載しており、説明の便宜上、それぞれの測定電極の組み合わせに対して、電極番号Ｐ００〜Ｐ９９を付している。そして、電極番号Ｐ００〜Ｐ０５までは、対辺ペア電極を測定電極として選択している。同様に、電極番号Ｐ０６〜Ｐ０９までは、同辺ペア電極を測定電極として選択し、電極番号Ｐ０６〜Ｐ９９までは、対角ペア電極を測定電極として選択している。
【００９５】
図１０のＳ１では、演算部５の処理を受けて、タッチパネル２に補正マーカーＭＫ１，ＭＫ２（例えば、図１５の検出領域Ｑ６２，Ｑ１９）が表示される。補正マーカーは、ユーザーによるタッチ操作に基づいて重みづけデータＴＢに登録された標準差分情報を補正するために用いる。標準差分情報は、上記リスト化された各検出領域Ｑ１，Ｑ２，…，Ｑ８０の標準ピーク電圧のリスト情報を含む。なお、補正マーカーの表示位置及び表示数は特に限定されない。
【００９６】
Ｓ２において、演算部５は、ユーザーによるタッチパネル２へのタッチ操作が行われる前に、ノータッチ状態における各標準ピーク電圧（以下、ノータッチデータともいう）を補正するためのノータッチ補正データを取得する。
【００９７】
図１１はノータッチ補正データの取得動作の一例を示すフロー図である。図１１に示すように、まず、演算部５は、あらかじめ定められた電極選択ルールに従って、測定電極を選択する（Ｓ２１）。測定電極の選択ルール（例えば、測定電極の組み合わせや選択順）は、例えば、演算部５の格納部５２に格納されたデータベースにあらかじめ登録されている。そして、演算部５は、例えば、図１３の表の電極番号Ｐ００，Ｐ０１，…，Ｐ９９の順に測定電極を選択する。具体的に、図１３の例では、演算部５は、最初の測定電極として第１電極Ｅ１１及び第３電極Ｅ３１を選択する。
【００９８】
次に、演算部５は、測定電極を示す電極選択信号ＳＣ１をパルスジェネレータ３１及びアナログスイッチ３２に与え、ペア電極Ｅ１１，Ｅ３１に所定のパルス信号を供給する（Ｓ２２）。このとき、演算部５は、アナログスイッチ４１，４１にも同じ電極選択信号ＳＣ１を与える。これにより、パルス信号が与えられたペア電極Ｅ１１，Ｅ３１からの出力信号が差動アンプ６２に入力され、ピークホールド部６４からピーク電圧が出力される。これにより、演算部５は、ピークホールド部６４からノータッチ状態におけるピーク電圧を取得し、補正テーブルＴＢ１に登録する（Ｓ２３）。その後、演算部５は、上記パルス信号が与えられたペア電極Ｅ１１，Ｅ３１をディスチャージする（Ｓ２４）。ペア電極Ｅ１１，Ｅ３１のディスチャージは、例えば、ペア電極Ｅ１１，Ｅ３１をグランドに短絡させることにより実施する。
【００９９】
Ｓ２５では、ピーク電圧の取得回数（ペア電極の組み合わせ）が規定された数（例えば１０００回）に到達したか否かを判定し、到達していなければ（Ｓ２５でＮＯ）、Ｓ２１に戻り、ペア電極Ｅ１１，Ｅ３１の組み合わせを、次のペア電極番号Ｐ０２に係るペア電極Ｅ１２，Ｅ３２に変えてノータッチ状態におけるピーク電圧を取得する。以後、規定のピーク電圧の取得回数に到達するまで、Ｓ２１〜Ｓ２５のフローを繰り返す。このようにして、ノータッチ補正データの取得が完了すると、フローは図１０のＳ４に戻る。
【０１００】
図１０のＳ４（マーカー補正処理）において、補正マーカーＭＫ１，ＭＫ２のうちのいずれか一方がタッチされると（Ｓ４１でＹＥＳ）、演算部５はマーカー補正データを取得する（Ｓ４２）。Ｓ４２では、ステップＳ２（図１１）のノータッチ補正データの取得に係る処理と同様の処理を行い、マーカータッチ補正データを取得して、補正テーブルＴＢ１に登録する。図１３（ｂ）には、マーカーＭＫ１及びＭＫ２のマーカータッチ補正データを取得した例を示している。マーカータッチ補正データを取得した後、演算部５は、マーカータッチ補正データを用いて標準差分情報の補正を行う（Ｓ４３）。後述する図１２に示すように、重みづけデータＴＢ２がタッチ数に応じて分かれている場合、すべての重みづけデータＴＢに対して同様の処理を行う。
【０１０１】
なお、前述の図４で例示したとおり、タッチ位置の容量ＣＴとグランドとの間にタッチするユーザー毎に異なる特定の値の負荷Ｚ２が生じる。マーカータッチ補正データを用いることで、この負荷Ｚ２に起因する演算誤差を補正することができるようになる。
【０１０２】
Ｓ４３の補正が完了すると、タッチパネル２から補正マーカーＭＫ１，ＭＫ２が消去される。そして、タッチパネル２に対してユーザーによるタッチ操作を受けると（Ｓ５でＹＥＳ）、演算部５は補正された学習済みの重みづけデータＴＢ２を用いてタッチ位置の検出演算を行う（Ｓ６）。
【０１０３】
次に、図８を用いて、演算部５によるタッチ位置の検出演算について詳細に説明する。タッチ位置の検出演算では、ノータッチ補正データの取得の場合と同様に、電極選択ルールに従って、ペア電極を選択する（Ｓ６０）。次に、演算部５は、パルスジェネレータ３１及びアナログスイッチ３２に電極選択信号ＳＣ１を与え、測定電極に所定のパルス信号を与えるとともに（Ｓ６１）、測定電極からの出力電圧に基づくピーク電圧をピークホールド部６４から取得する（Ｓ６２）。
【０１０４】
ステップＳ６３では、ピーク電圧が取得されると、演算部５はタッチ数の分離を行う。具体的に、ピーク電圧は、タッチ数が多いほど大きくなる。したがって、例えば、所定の閾値を設け、ピーク電圧とその閾値との関係に基づいてタッチ数を判断することができる。
【０１０５】
ステップＳ６４では、ステップＳ６３で分離したタッチ数に応じた学習済みの重みづけデータＴＢ２を用いて、ユーザーによるタッチ操作の位置を推定する推定演算を行う（Ｓ６４）。ここでは、ステップＳ６３において、2点タッチと判断されたものとする。
具体的に、推定演算では、
（１）まず、演算部５は、取得されたピーク電圧と、学習済みの重みづけデータＴＢ２の各検出領域Ｑ１，Ｑ２，…，Ｑ８０における標準ピーク電圧とを比較する。
（２）そして、図１４に示すように、上記（１）記載の両電圧の誤差が所定の範囲内の場合に“１”を、両電圧の誤差が所定の範囲を超える場合に“０”を演算結果テーブルＴＢ３に登録する。例えば、取得されたピーク電圧と標準ピーク電圧との誤差が±１０％以内の場合に“１”を出力する。
【０１０６】
推定演算が終了すると、パルス信号が与えられたペア電極がディスチャージされる（Ｓ６５）。なお、本実施形態における候補位置とは、前述の両電圧の誤差が所定の範囲内の位置、すなわち、演算結果テーブルＴＢ３に“１”が登録された位置である。
【０１０７】
そして、演算部５は、規定された取得回数（例えば、１００）に到達するまで、上記Ｓ６１〜Ｓ６５の処理を繰り返し、電極選択ルールで規定されたすべての組み合わせに係るペア電極（例えば、Ｐ００，Ｐ０１，…，Ｐ９９）の推定演算（上記（１）及び（２）の演算）を実施する。
【０１０８】
演算部５は、推定演算をあらかじめ規定された回数実施した後（Ｓ６６でＹＥＳ）、推定演算の結果に基づいて、ユーザーによるタッチ操作の位置を判断する特定演算を行う（Ｓ６７）。具体的には、検出領域毎に推定演算結果を加算し、加算結果の大きさ、突出度、近似度等に基づいてタッチ操作の位置を判断する。例えば、図１４の例では、検出領域Ｑ３６の加算結果が８０と一番多く、次に検出領域Ｑ４５の加算結果が７５で多くなっている。そこで、演算部５は、この抽出回数に基づいて、検出領域Ｑ３６，Ｑ４５の２点がユーザーのタッチ位置であると判断する。
【０１０９】
なお、特定演算におけるタッチ位置の判断方法は、特に限定されるものではない。例えば、検出領域毎の推定演算結果の加算値の大きさのみに基づいて判断してもよいし、加算結果の大きさが所定の大きさ以上でかつ所定の突出度を有する検出領域がある場合に、その検出領域をタッチ操作の位置と判断するようにしてもよい。また、複数の推定演算結果や複数のピーク電圧値に基づく別の評価軸を設定し、その別の評価軸の結果に基づいて、又は別の評価軸の結果を加味してタッチ位置を判断するようにしてもよい。
【０１１０】
以上のように、本願発明者らは、同辺ペア電極の中から測定電極を選択し、その測定電極に対して計測信号の印加及び出力信号の取得を行うことにより、２点タッチにおいても有意な差分情報を得ることができることを見いだした。これにより、パターンレス方式のタッチパネルにおいて、２点タッチの検出を高精度に行うことができる。
【０１１１】
また、測定電極として、同辺ペア電極からの差分情報の取得と、対角ペア電極や対向ペア電極からの差分情報の取得とを組み合わせることにより、１点タッチ、２点タッチ及びマルチタッチにおいて、タッチ位置によらずに有意な差分情報を得ることができるようになり、タッチ位置の検出をより高精度に行うことができる。
【０１１２】
また、同辺ペア電極からなる測定電極として、３個以上の電極（例えば、図３の第１電極Ｅ１１，Ｅ１２，Ｅ１３）からなる電極群Ｅ１の両外側の電極を用いることにより、ピーク電圧の差分を大きくすることができる。すなわち、有意性の高い差分情報を取得することができ、これにより、タッチ位置の検出をより高精度に行うことができる。第２電極Ｅ２１，Ｅ２２，Ｅ２３からなる電極群Ｅ２、第３電極Ｅ３１，Ｅ３２，Ｅ３３からなる電極群Ｅ３、第４電極Ｅ４１，Ｅ４２，Ｅ４３からなるＥ４についても同様である。
【０１１３】
なお、図３では、各辺に３個の電極が設けられ、電極群Ｅ１〜Ｅ４が各辺に１つずつある例を示しているが、これに限られない。例えば、電極が４個以上であってもよいし、電極群が２つ以上設けられていてもよい。具体的に、例えば、少なくともいずれか１つの辺に電極を６個設けた場合に、電極群を２つに分け、それぞれの電極群の両外側の電極を測定電極としてもよい。さらに、電極群を構成する電極が重複していてもよい。
【０１１４】
さらに、２層構造タッチパネルでは、その特性上、シート抵抗値が１ｋΩ／□から５ｋΩ／□の範囲にすることが必要であるが、本発明では、導電層のシート抵抗値が２桁以上高くてもよい点に特徴がある。すなわち、大型ディスプレイ、壁面等を使用した大型スクリーン、ホワイトボード等の大型板面等の大型のタッチパネルに適している。さらに、有機導電シート、金属薄膜シート等のシート抵抗値が高いシートを導電層に適用することが可能になるため、曲面での使用にも適している。
【０１１５】
＜その他の実施形態＞
以上、本発明の実施形態について説明したが種々の改変が可能である。
【０１１６】
例えば、上記第１、第２実施形態において、各辺の電極の数は、それぞれ３個であるものとしたが、電極の数はこれに限定されない。各辺に設ける電極の数は、それぞれ少なくとも２個（少なくとも１つのペア電極）が含まれていればよく、また各辺で電極数が異なっていてもかまわない。
【０１１７】
また、上記第１、第２実施形態において、電極は導電層の辺に沿って設けられるものとしたが、一部の電極が導電層の辺から内側に離間した位置に設けられていてもかまわない。例えば、検知層３１の面積に対してタッチパネル２の開口面積（有効タッチ面積）が狭い場合に、各電極がタッチパネル２の有効タッチ領域を区画する枠に沿って設けられていてもよい。一方で、同じ面積の導電層内において、タッチ検出可能な領域を広く確保するためには、検知層３１の辺に沿って電極が設けられているのが好ましい。
【０１１８】
また、上記第第２実施形態において、導電層は矩形状であるものとしたが、これに限定されない。導電層は、直交及び／または対向する辺を有していればよく、上記第２実施形態と同様の効果が得られる。具体的に、導電層の一部が曲線となっていてもよく導電層の一部が湾曲していてもよい。
【０１１９】
また、上記第２実施形態では、ペア電極に対するパルス信号印加及び測定を各ペア電極の組み合わせに対して１回行う例を示しているが、５〜５０ｍｓの期間毎に前記ペア電極を構成する電極の組み合わせを変えるものとし、この５〜５０ｍｓの期間中に複数回のパルス信号印加及び測定を実施するようにしてもよい。この場合、例えば、複数回の測定結果を平均してその値を各演算に用いるようにすればよい。
【０１２０】
また、上記実施形態では、導電層はタッチパネル表面に設けられているものとしたが、例えば、携帯電話の裏側のように、タッチパネルの画面から所定の間隔を空けた位置に導電層が設けられている、すなわち、ホバリング検出されるような状態においても、本発明は適用可能であり、同様の効果が得られる。この場合は差動信号ピークホールドの絶対値が小さいため、例えば、差動アンプ６２の倍率を上げて出力を高めるようにしてもよい。具体的に、まず、タッチの有無の検出は、演算部５がピークホールド部６４からの出力（ＡＤＣ６５でのＡＤ変換後）を検出することにより行われる。ここで、演算部５は、例えば、Ｓ／Ｎ比のレベル以上のノータッチデータが得られれば、タッチ操作の検出ができる。そして、演算部５は、ピークホールド部６４からの出力レベルも把握しているので、タッチ操作があることを検出するのと同時に、ホバリング検出であることを認識することができる。そして、演算部が、設定された差動アンプ６２の倍率と、ホバリング動作に応じた重みづけデータＴＢ２とに基づいてタッチ位置の検出演算を行うようにすればよい。
【０１２１】
また、上記実施形態において、検知層３１の各辺に設けられた電極は、対称な位置であるものとしたが、各辺の電極が非対称な位置に設けられていてもよい。具体的に、図１６に示すように、導電層の第１コーナーＣ１（図１６左上）から各第１電極Ｅ１１，Ｅ１２，Ｅ１３までの距離と、導電層の第４コーナーＣ４（図１６右上）から各第３電極Ｅ３１，Ｅ３２，Ｅ３３までの距離とが、それぞれ互いに異なるように各電極が配置されていてもよい。同様に、検知層３１の第１コーナーＣ１から各第４電極Ｅ４１，Ｅ４２，Ｅ４３までの距離と、検知層３１の第２コーナーＣ２（図１６左下）から各第２電極Ｅ２１，Ｅ２２，Ｅ２３までの距離とが、それぞれ互いに異なるように各電極が配置されていてもよい。すなわち、図１６において、Ｄ２１≠Ｄ４１であり、Ｄ１１≠Ｄ３１であってもよい。このような非対称電極構成とすることにより、パルスジェネレータ３１から測定電極に印加されるパルス信号、及び測定電極から差動アンプ６２に出力される出力信号のノイズをより効果的に低減することができる。
【産業上の利用可能性】
【０１２２】
本発明は、単純な構造でありかつ解像度の高い位置検出装置を実現することが可能であり、様々な分野において用いられるタッチパネルに対して極めて有用である。
【符号の説明】
【０１２３】
１  位置検出装置
２  タッチパネル（ベース部）
２２  導電層
６  位置検出部
【図１】
2019159446.tif 000003
【図２】
2019159446.tif 000004
【図３】
2019159446.tif 000005
【図４】
2019159446.tif 000006
【図５】
2019159446.tif 000007
【図６】
2019159446.tif 000008
【図７】
2019159446.tif 000009
【図８】
2019159446.tif 000010
【図９】
2019159446.tif 000011
【図１０】
2019159446.tif 000012
【図１１】
2019159446.tif 000013
【図１２】
2019159446.tif 000014
【図１３】
2019159446.tif 000015
【図１４】
2019159446.tif 000016
【図１５】
2019159446.tif 000017
【図１６】
2019159446.tif 000018
【図１７】
2019159446.tif 000019
【図１８】
2019159446.tif 000020
【図１９】
2019159446.tif 000021
【図２０】
2019159446.tif 000022
【図２１】
2019159446.tif 000023